(57)【特許請求の範囲】
【請求項１】
クレジットカードの磁気データを読み取る磁気データ読取手段と、
前記クレジットカードの表面の画像を読み取る画像読取手段と、
前記画像読取手段によって読み取った画像データを記憶する画像データ記憶手段と、
前記磁気データ読取手段による読み取りが正常に行われたか否かを判別する読み取り判別手段と、
前記読み取り判別手段によって前記磁気データの読み取りが、正常に行われなかったことを判別した場合、前記画像データに基づくＯＣＲ処理により前記クレジットカードのカード番号を抽出するカード番号抽出手段と、
前記カード番号抽出手段によって抽出した前記カード番号に基づき、前記クレジットカードの与信照会を行うカード照会手段と、
前記クレジットカードを挿入する方向である順方向及び前記順方向の逆方向へ搬送する搬送手段と、
前記クレジットカードの挿入方向を正常なカード搬送方向に案内するガイド手段と、
を備え、
前記磁気データ読取手段は、前記クレジットカードが挿入方向の順方向へ搬送される際に前記クレジットカードの磁気データの読み取りを行い、前記読み取り判別手段によって前記磁気データの読み取りが正常に行われなかったと判別された場合は、前記クレジットカードが前記逆方向へ搬送される際に、再度、前記磁気データを読み取り、
前記画像読取手段は、前記クレジットカードが前記ガイド手段に当接して正常なカード搬送方向である前記順方向へ案内されたのち、前記逆方向へ搬送される際に前記クレジットカードの表面の画像データを読み取り、
前記カード番号抽出手段は、前記磁気データの読み取りが２回とも正常に行われなかったと判別された場合、前記クレジットカードの前記画像データから前記カード番号を抽出することを特徴とするクレジットカード処理装置。
【請求項２】
前記画像データをレシート紙に印字する印字手段を更に備えたことを特徴とする請求項１に記載のクレジットカード処理装置。
【請求項３】
前記印字手段は、前記画像データと共に、前記クレジットカードの精算金額および当該クレジットカード利用者の署名欄を印字することを特徴とする請求項２に記載のクレジットカード処理装置。
【請求項４】
前記画像データおよび前記カード番号を同時に表示画面上に表示する表示手段を更に備えたことを特徴とする請求項１ないし３のいずれか１に記載のクレジットカード処理装置。
【請求項５】
請求項１ないし４のいずれか１に記載のクレジットカード処理装置と、これと接続されて用いられオペレータによる商品情報の入力に基づいて精算処理を行うＰＯＳ端末コンピュータと、によって構成されることを特徴とするＰＯＳ端末。
【請求項６】
請求項５に記載のＰＯＳ端末と、当該ＰＯＳ端末とネットワークを介して接続され当該ＰＯＳ端末の統括制御を行うＰＯＳサーバと、によって構成されることを特徴とするＰＯＳシステム。
【請求項７】
請求項１ないし４のいずれか１に記載のクレジットカード処理装置の各手段を実現するためのコンピュータ読み取り可能なプログラム。
【請求項８】
クレジットカードの磁気データを読み取る磁気データ読取手段、
前記クレジットカードの表面画像を読み取る画像読取手段、
前記表面画像の画像データを記憶する画像データ記憶手段、
前記クレジットカードの与信照会を行うカード照会手段、
前記クレジットカードを挿入する方向である順方向及び前記順方向の逆方向へ搬送する搬送手段、
前記クレジットカードの挿入方向を正常なカード搬送方向に案内するガイド手段、制御手段、
を備えたクレジットカード処理装置におけるクレジットカード処理制御方法であって、
前記制御手段が、
前記磁気データ読取手段による読み取りが正常に行われたか否かを判別する工程と、
前記磁気データの読み取りが正常に行われなかったことを判別した場合、前記画像データをＯＣＲ処理することにより前記クレジットカードのカード番号を抽出する工程と、
抽出した前記カード番号に基づき、前記カード照会手段によって前記クレジットカードの与信照会を行う工程と、を実行し、
前記制御手段は、前記磁気データ読取手段による前記磁気データの読み取りが正常に行われなかったことを判別した場合、前記クレジットカードが前記順方向の逆方向に搬送される際に、再度、前記磁気データの読み取りを行い、当該磁気データの読み取りが２回とも正常に行われなかったと判断した場合は、前記クレジットカードを前記ガイド手段に当接して正常なカード搬送方向である前記順方向へ案内されたのち、前記順方向の逆方向へ搬送した際に読み取った前記クレジットカードの表面の画像データから前記カード番号を抽出し、前記与信照会を行うことを特徴とするクレジットカード処理制御方法。
【請求項９】
前記制御手段が、前記画像データをレシート紙に印字する印字工程を更に実行することを特徴とする請求項８に記載のクレジットカード処理制御方法。
【請求項１０】
前記印字工程では、前記画像データと共に、前記クレジットカードの精算金額および当該クレジットカード利用者の署名欄を印字することを特徴とする請求項９に記載のクレジットカード処理制御方法。
【請求項１１】
前記制御手段が、前記画像データおよび前記カード番号を同時に表示画面上に表示する工程を更に実行することを特徴とする請求項８に記載のクレジットカード処理制御方法。
【請求項１２】
クレジットカードの磁気データを読み取る磁気データ読取手段と、
前記クレジットカードの表面の画像を読み取る画像読取手段と、
前記クレジットカードを挿入する方向である順方向及び前記順の方向の逆方向へ搬送する搬送手段と、
前記クレジットカードの挿入方向を正常なカード搬送方向に案内するガイド手段と、
前記画像読取手段によって読み取った画像データを記憶する画像データ記憶手段と、
前記磁気データ読取手段による読み取りが正常に行われたか否かを判別する読み取り判別手段と、
前記読み取り判別手段によって前記磁気データの読み取りが２回とも正常に行われなかったことを判別した場合、前記画像データと署名欄とを、レシートに伴って印刷出力する印刷手段と、を備えたことを特徴とするクレジットカード処理装置。
【発明の詳細な説明】
【技術分野】
【０００１】
本発明は、クレジットカードによる精算処理を行うクレジットカード処理装置、ＰＯＳ端末、ＰＯＳシステム、プログラムおよびクレジットカード処理制御方法に関するものである。
【背景技術】
【０００２】
従来、クレジットカードにより精算処理を行う場合、クレジットカードの磁気ストライプ部分に記憶されている磁気データをＭＳＲ（磁気ストライプ読み取り装置）で読み取り、当該磁気データをカード会社（照会サーバ）に送信することで与信照会（紛失・盗難届が出されているカードでないか否かの問い合わせ等）を行っている（例えば、特許文献１参照）。
【０００３】
【特許文献１】特開平５−２５０５４８号公報
【発明の開示】
【発明が解決しようとする課題】
【０００４】
ところが、何らかの原因でＭＳＲによる磁気データの読み取りが正常に行われなかった場合は、精算処理を行うオペレータが、クレジットカードのカードナンバーをＰＯＳ端末に手入力（キーボード入力）し、このカードナンバーに基づいて与信照会を行う。また、オペレータは、この他インプリンタ（ＣＡＴ（Credit Authorization Terminal：信用照会端末機）が設置されていない店舗でカード決済をする場合、又はＣＡＴが設置されている店舗でも磁気不良等によりＣＡＴがカードを認識しなかった場合にカード情報取得のために利用する装置。バウチャとも言う。）を用いてクレジットカードのエンボス部分（凹凸部分）をカーボンコピーの要領で複写紙に複写し、印字済みの複写紙から店舗控用の一枚を顧客に渡して署名を依頼する。そして、署名された複写紙は、カード会社に送付され、クレジットカードの不正使用が行われた場合の証拠として保管される。
【０００５】
このとき、以下のような問題が発生する。
（１）クレジットカードのカードナンバー入力時における入力ミスや普段使い慣れないインプリンタの操作によって処理に時間がかかり、顧客を待たせてしまうと共に作業効率が低下する。また、これによるオペレータの業務負荷も大きい。
（２）複写紙を必要とするため、その保管に要する管理費や、複写紙自体のコストがかかる。
（３）オペレータはインプリンタの操作に慣れていないため複写ミスが生じ易い。このため、エンボス部分の複写が不十分となり、不正発覚時において証拠（犯罪証明記録）として利用できなくなる可能性がある。
【０００６】
そこで、本発明は、作業効率を低下させることなく、クレジットカードのカード情報を確実に取得可能なクレジットカード処理装置、ＰＯＳ端末、ＰＯＳシステム、プログラムおよびクレジットカード処理制御方法を提供することを目的とする。
【課題を解決するための手段】
【０００７】
本発明のクレジットカード処理装置は、クレジットカードの磁気データを読み取る磁気データ読取手段と、クレジットカードの表面の画像を読み取る画像読取手段と、画像読取手段によって読み取った画像データを記憶する画像データ記憶手段と、磁気データ読取手段による読み取りが正常に行われたか否かを判別する読み取り判別手段と、読み取り判別手段によって磁気データの読み取りが正常に行われなかったことを判別した場合、画像データに基づくＯＣＲ処理によりクレジットカードのカード番号を抽出するカード番号抽出手段と、カード番号抽出手段によって抽出したカード番号に基づき、クレジットカードの与信照会を行うカード照会手段と、クレジットカードを挿入する方向である順方向及び前記順方向の逆方向へ搬送する搬送手段と、クレジットカードの挿入方向を正常なカード搬送方向に案内するガイド手段と、を備え、磁気データ読取手段は、前記クレジットカードが挿入方向の順方向へ搬送される際にクレジットカードの磁気データの読み取りを行い、読み取り判別手段によって磁気データの読み取りが正常に行われなかったと判別された場合は、クレジットカードが逆方向へ搬送される際に、再度、磁気データを読み取り、画像読取手段は、クレジットカードがガイド手段に当接して正常なカード搬送方向である順方向へ案内されたのち、逆方向へ搬送される際にクレジットカードの表面の画像データを読み取り、カード番号抽出手段は、磁気データの読み取りが２回とも正常に行われなかったと判別された場合、前記クレジットカードの画像データから前記カード番号を抽出することを特徴とする。
【０００８】
また、本発明のクレジットカード処理制御方法は、クレジットカードの磁気データを読み取る磁気データ読取手段、クレジットカードの表面画像を読み取る画像読取手段、表面画像の画像データを記憶する画像データ記憶手段、クレジットカードの与信照会を行うカード照会手段、クレジットカードを挿入する方向である順方向及び前記順方向の逆方向へ搬送する搬送手段、クレジットカードの挿入方向を正常なカード搬送方向に案内するガイド手段、制御手段、を備えたクレジットカード処理装置におけるクレジットカード処理制御方法であって、制御手段が、磁気データ読取手段による読み取りが正常に行われたか否かを判別する工程と、磁気データの読み取りが正常に行われなかったことを判別した場合、画像データをＯＣＲ処理することによりクレジットカードのカード番号を抽出する工程と、抽出したカード番号に基づき、カード照会手段によってクレジットカードの与信照会を行う工程と、を実行し、制御手段は、磁気データ読取手段による磁気データの読み取りが正常に行われなかったことを判別した場合、再度、前記順方向の逆方向の磁気データの読み取りを行い、磁気データの読み取りが２回とも正常に行われなかったと判断した場合は、クレジットカードをガイド手段に当接させて正常なカード搬送方向である順方向へ案内されたのち、前記順方向の逆方向へ搬送した際に読み取ったクレジットカードの表面の画像データからカード番号を抽出し、与信照会を行うことを特徴とする。
【０００９】
これらの構成によれば、磁気データの読み取りが正常に行われなかった場合、クレジットカードの表面画像の読み取り結果をＯＣＲ処理することによってカード番号を抽出するため、迅速且つ確実にカード情報を取得することができる。また、オペレータによってカード番号を手入力する必要がないため、入力ミスがなくなると共にインプリンタの操作も必要なくなるため、オペレータの業務負荷を低減することができ、ひいては作業効率を向上させることができる。また、磁気データの読み取りが正常に行われたか否かを判別し、読み取りが正常に行われた場合は従来の磁気データに基づく与信照会が実行可能であるため、全てのクレジットカードについてＯＣＲ処理を必要としない。したがって、より迅速にクレジットカードの精算処理を行うことができる。さらに、クレジットカードの表面の画像を読み取り、その画像データを記憶することで、不正使用発覚時にこれを証拠として用いることができる。
【００１０】
この場合、画像データをレシート紙に印字する印字手段を更に備えても良い。
【００１１】
また、この場合、制御手段が、画像データをレシート紙に印字する印字工程を更に実行することが好ましい。
【００１２】
これらの構成によれば、クレジットカードの表面画像の画像データをレシート紙に印字することで複写紙を必要としないため、複写紙を保管するための管理費、並びに紙コストを削減することができる。
【００１３】
この場合、印字手段は、画像データと共に、クレジットカードの精算金額および当該クレジットカード利用者の署名欄を印字することが好ましい。
【００１４】
また、この場合、印字工程では、画像データと共に、クレジットカードの精算金額および当該クレジットカード利用者の署名欄を印字することが好ましい。
【００１５】
これらの構成によれば、画像データと共に、クレジットカードの精算金額および当該クレジットカード利用者の署名欄を印字するため、署名後のレシート紙から、クレジットカードの表面画像、精算金額、および利用者の署名（サイン）を一目で確認することができる。したがって、当該レシート紙を保管しておくことで、不正使用が行われた場合の有力な証拠として用いることができる。
【００１６】
また、これらの場合、磁気データ読取手段は、読み取り判別手段によって磁気データの読み取りが正常に行われなかったことを判別した場合、再度磁気データの読み取りを行い、カード番号抽出手段は、磁気データの読み取りが２回連続して正常に行われなかった場合、クレジットカードのカード番号を抽出することが好ましい。
【００１７】
また、これらの場合、磁気データ読取手段による磁気データの読み取りが正常に行われなかったことを判別した場合、再度磁気データの読み取りを行い、当該磁気データの読み取りが２回連続して正常に行われなかった場合、クレジットカードのカード番号を抽出し、与信照会を行うことが好ましい。
【００１８】
これらの構成によれば、磁気データの読み取りが正常に行われなかったことを判別した場合、再度磁気データの読み取りを行うため、作業効率を向上させることができる。すなわち、磁気データの読み取りは、一度失敗しても二度目で正常に読み取ることができる場合があるが、一度失敗したらすぐにＯＣＲ処理によってカード番号を抽出するのではなく、２回連続して失敗した場合にＯＣＲ処理に移行することで、ＯＣＲ処理を行う機会を極力減らすことができるため、結果的に精算処理時間を短縮することができる。
【００１９】
これらの場合、画像データおよびカード番号を同時に表示画面上に表示する表示手段を更に備えても良い。
【００２０】
また、これらの場合、制御手段が、画像データおよびカード番号を同時に表示画面上に表示する工程を更に実行することが好ましい。
【００２１】
これらの構成によれば、クレジットカード表面画像の画像データおよびカード番号を同時に表示画面上に表示することで、オペレータが正確にカード番号の抽出が行われたか否か（正確にＯＣＲ処理が行われたか否か）を確認することができる。したがって、誤ったカード番号に基づく与信照会を防止することができる。
【００２２】
本発明のＰＯＳ端末は、上記のいずれか１に記載のクレジットカード処理装置と、これと接続されて用いられオペレータによる商品情報の入力に基づいて精算処理を行うＰＯＳ端末コンピュータと、によって構成されることを特徴とする。
【００２３】
この構成によれば、クレジットカードのカード情報を確実に取得し、迅速且つ安全な精算処理を行い得るＰＯＳ端末を提供することができる。
【００２４】
本発明のＰＯＳシステムは、上記に記載のＰＯＳ端末と、当該ＰＯＳ端末とネットワークを介して接続され当該ＰＯＳ端末の統括制御を行うＰＯＳサーバと、によって構成されることを特徴とする。
【００２５】
この構成によれば、クレジットカードのカード情報を確実に取得し、迅速且つ安全な精算処理を行い得るＰＯＳシステムを提供することができる。
【００２６】
本発明のプログラムは、上記のいずれか１に記載のクレジットカード処理装置の各手段を実現するためのものであって、コンピュータ読み取り可能であることを特徴とする。
【００２７】
この構成によれば、作業効率を低下させることなく、確実にクレジットカードのカード情報取得可能なクレジットカード処理装置を実現するためのプログラムを提供することができる。
【００２８】
また、本発明のクレジットカード処理装置は、
クレジットカードの磁気データを読み取る磁気データ読取手段と、
前記クレジットカードの表面の画像を読み取る画像読取手段と、
前記画像読取手段によって読み取った画像データを記憶する画像データ記憶手段と、
前記磁気データ読取手段による読み取りが正常に行われたか否かを判別する読み取り判別手段と、
前記読み取り判別手段によって前記磁気データの読み取りが正常に行われなかったことを判別した場合、前記画像データと署名欄とを、レシートに伴なって印刷出力する印刷手段と、を備えたことを特徴とする。
【００２９】
この構成によれば、たとえ、クレジットカードの磁気データが正確に読み取れない場合でも、読み取った画像データと署名欄とをレシートに印字を行い、顧客の署名を取ることによって、偽造などの不正行為を防止する証拠を押さえておくことができる。
【発明の効果】
【００３０】
本発明のクレジットカード処理装置、ＰＯＳ端末、ＰＯＳシステム、プログラムおよびクレジットカード処理制御方法によれば、クレジットカードの磁気データの読み取りが正常に行われなかった場合、クレジットカードの表面画像の読み取り結果をＯＣＲ処理することによってカード番号を抽出するため、作業効率を低下させることなく、クレジットカードのカード情報を確実に取得することができる。
【発明を実施するための最良の形態】
【００３１】
以下、本発明の一実施形態に係るクレジットカード処理装置、ＰＯＳ端末、ＰＯＳシステム、プログラムおよびクレジットカード処理制御方法について、添付図面を参照しながら詳細に説明する。本発明は、クレジットカードの磁気データの読み取りが正常に行われなかった場合、クレジットカードの表面画像の読み取り結果をＯＣＲ処理することによってカード番号を抽出するため、迅速且つ確実にカード情報を取得することができるものである。また、これによりオペレータによってカード番号を手入力する必要がないため、入力ミスがなくなると共にインプリンタ（バウチャ）の操作も必要なくなるため、オペレータの業務負荷を低減することができ、ひいては作業効率を向上させることができるといった効果を奏する。
【００３２】
そこで、以下、飲食店や小売店等の店舗にて利用されるＰＯＳ端末並びにこれに適用される複合処理装置（クレジットカード画像読み取りや磁気データの読み取りを含むクレジットカード処理装置としての機能、小切手画像読み取りや磁気データの読み取りおよび小切手への印字を含む小切手処理装置としての機能、並びにレシート印字装置としての機能を備えた装置）を例に挙げて説明する。また、併せて当該ＰＯＳ端末を備えたＰＯＳシステムについて説明する。
【００３３】
図１および図２に示すように、本発明のＰＯＳ端末５は、オペレータによって商品情報が入力され、精算金額を算出するＰＯＳ端末コンピュータ６０と、クレジットカードＣ、小切手（スリップ）ＳおよびレシートＲの印字に関する種々の処理を行う複合処理装置１０とによって構成されている。
【００３４】
ＰＯＳ端末コンピュータ６０は、本体ケース６１と、商品コードや金額等の商品情報を入力するキーボード６２と、入力された商品情報や金額、複合処理装置１０により読み取られたクレジットカードＣ表面の画像データ等を表示する表示画面６３と、金銭（キャッシュ）が収納されるキャッシュドロア６４とを備え、ネットワーク７５を介してＰＯＳサーバ７０と接続されている。
【００３５】
ＰＯＳサーバ７０は、複数のＰＯＳ端末５（３つのみ図示）と接続され、ＰＯＳ端末５に入力された商品情報や在庫情報の一括管理を行っている。具体的には、ＰＯＳ端末５に入力された商品情報を取得し、これに基づいて予め記憶している価格リスト（ＰＬＵリスト）から商品名や金額に関する情報を抽出する。そして、抽出した情報から後述するレシートＲへの印字および表示画面６３の表示に用いる商品データを生成し、ＰＯＳ端末５に送信する。ＰＯＳ端末５は、ＰＯＳサーバ７０から送信された商品データに基づいて、レシートＲ上に印字する印字データを生成し、これを複合処理装置１０に送信すると共に、表示画面６３に表示する表示データを生成する。
【００３６】
ＰＯＳ端末コンピュータ６０は、ネットワーク（インターネット）７５を介して、クレジットカードＣの与信照会を行う照会サーバ８０や小切手Ｓの有効性を認証するための決済処理サーバ９０と接続されている。照会サーバ８０は、カード会社やクリアリングハウス（複数のカード会社と契約して、信用調査、与信調査を行う機関）によって運営され、複合処理装置１０によって読み取られたクレジットカードＣの磁気データやカード番号等のカード情報に基づいて、紛失届や盗難届が出されていないか等の信用調査を行い、与信審査の結果をＰＯＳ端末コンピュータ６０に返信する。また、決済処理サーバ９０は、複合処理装置１０によって読み取られた小切手ＳのＭＩＣＲコードに関する情報に基づいて、当該小切手Ｓの有効性を判別し、その判断結果をＰＯＳ端末コンピュータ６０に返信する。
【００３７】
一方、複合処理装置１０は、図示しないコネクタを介してＰＯＳ端末コンピュータ６０と接続されており、クレジットカードＣの画像読み取りおよび磁気データ読み取り、小切手Ｓの画像読み取り、磁気データ読み取りおよび印字など、種々の処理を１台で行い得るよう構成されている。したがって、ＰＯＳ端末コンピュータ６０にこの複合処理装置１０を接続するだけで、クレジットカードＣや小切手Ｓの一連の処理が可能なＰＯＳ端末５を実現することができる。
【００３８】
複合処理装置１０は、ロール状に巻回されたレシート紙Ｒを収容するレシート収容部３０およびレシート紙Ｒへの印字を行うレシート印字部１４０等を備えた背面側筐体部１１と、背面側筐体部１１の正面側に設けられ、当該背面側筐体部１１との間に小切手搬送路２１を画成する正面側筐体部１２と、背面側筐体部１１の上面側を覆うように取り付けられ、クレジットカードＣの表面画像を読み取るクレジットカード画像読取部４０およびクレジットカードＣの磁気ストライプ部分を読み取るクレジットカード磁気データ読取部５０等を収容する上面蓋体部１３とが一体形成されている。
【００３９】
正面側筐体部１２は、小切手搬送路２１を介して背面側筐体部１１から隔てられた正面側カバー１２ａと、正面側カバー１２ａを片支持状態で保持する正面側側部１２ｂとによって構成され、正面側カバー１２ａ下部に開口した小切手挿入口２１ａから小切手Ｓが挿入可能となっている。
【００４０】
小切手搬送路２１には、小切手Ｓが挿入される小切手挿入口２１ａ、小切手Ｓに予め磁気インクで印字された磁気コード（ＭＩＣＲコード）を読み取る小切手磁気データ読取部（ＭＩＣＲ：Magnetic Ink Character Reader）１１０、小切手Ｓの表面および裏面の画像を読み取る小切手画像読取部１２０、小切手Ｓに精算金額や店舗情報を印字する小切手印字部１３０、小切手Ｓが排出される小切手排出口２１ｂの他、図示しない複数の搬送ローラが設けられており、小切手Ｓはこれらの搬送ローラによって各部に搬送されながら各種処理が行われる。
【００４１】
また、上面蓋体部１３には、クレジットカードＣの表面画像を読み取るクレジットカード画像読取部４０（画像読み取りセンサ）、クレジットカードＣの磁気ストライプ部分を読み取るクレジットカード磁気データ読取部５０（ＭＳＲ）の他、複数の搬送ローラ４３，４５，４６（図３参照）が設けられており、クレジットカードＣはこれらの搬送ローラ４３，４５，４６によって各部に搬送されながら各種処理が行われる。また、これらの搬送ローラ４３，４５，４６は前後に搬送可能（正逆回転可能）に構成され、クレジットカード画像読取部４０による画像読み取りは後方搬送時（図３において左側搬送時）に行われる。なお、クレジットカードＣの画像読み取り処理および磁気データ読み取り処理の詳細については後述する。
【００４２】
次に、図３を参照し、レシート搬送路３５廻りの各部材について説明する。レシートＲは、巻回された状態でレシート収容部３０に収容されており、当該レシート収容部３０から繰り出されたレシートＲは、背面側筐体部１１と上面蓋体部１３との間に形成されたレシート搬送路３５に沿ってレシート排出口３５ａへ向け送り出される。
【００４３】
レシート搬送路３５には、サーマル印字ヘッド３３およびこれを押圧するプラテンローラ３２が臨んでおり、プラテンローラ３２による搬送に伴ってサーマル印字ヘッド３３によりレシートＲへの印字が行われる。印字後のレシート紙Ｒは、サーマル印字ヘッド３３およびプラテンローラ３２の上方に配置されたオートカッタ３４によって適当な長さに切断され、レシート排出口３５ａから排出される。オートカッタ３４は、レシート搬送路３５の一方側に配置された固定刃３４ａと、レシート搬送路３５の他方側であって固定刃３４ａに対応する位置に配置された可動刃３４ｂとを有しており、可動刃３４ｂが、レシート搬送路３５に向かって図示Ａの方向に移動することにより、レシートＲが固定刃３４ａとの間に挟み込まれ、切断される。
【００４４】
一方、上面蓋体部１３の下部には、主要骨格を成すフレーム５１が設けられ、当該フレーム５１は、ヒンジ部５２を介して背面側筐体部１１に設けられた固定部５３に対して回動可能に構成されている。また、これにより上面蓋体部１３がレシート収容部３０に対して開閉動作可能に構成され、レシートＲの交換時は、上面蓋体部１３が開かれて、巻回された状態のレシート紙Ｒがレシート収容部３０に投入・装填される。
【００４５】
続いて、図３、図４および図５を参照し、クレジットカード画像読取部４０およびクレジットカード磁気データ読取部５０廻りの各部材について説明する。図３に示すように、クレジットカード画像読取部４０およびクレジットカード磁気データ読取部５０は、上面カバー１３ａと、レシート収容部３０との間に設けられ、ＰＯＳ端末５を操作するオペレータによって、クレジットカードＣがカード挿入口４１ａから挿入されることにより、画像読み取りおよび磁気データの読み取りを行う。
【００４６】
カード挿入口４１ａの手前側には、クレジットカードＣの挿入をガイドするテーブル１３ｂが形成され、オペレータはこのテーブル１３ｂに沿ってクレジットカードＣを挿入する。また、カード挿入口４１ａに隣接した上面カバー１３ａには、クレジットカードＣの画像読み取り動作および磁気データ読み取り動作に関する情報を報知するためのＬＥＤ表示部１６が設けられている。
【００４７】
ＬＥＤ表示部１６は、クレジットカードＣの状態に基づいて点灯するカード状態ＬＥＤ１６ａと、クレジットカードＣの搬送状態に基づいて点灯する搬送状態ＬＥＤ１６ｂとから成り、前者はクレジットカードＣの挿入または排出の検出結果やクレジットカードＣの表面画像データおよび磁気データの読み取り状態に応じて点灯し、後者はクレジットカードＣの搬送エラーがあった場合に点灯する。
【００４８】
クレジットカード画像読取部４０およびクレジットカード磁気データ読取部５０は、それぞれスキャナヘッド４４および磁気ヘッド５８によってその主要部が構成され、カード搬送路４１に沿ってカード挿入口４１ａ側から、磁気ヘッド５８、スキャナヘッド４４の順に配置されている。クレジットカードＣは、挿入後、複数の搬送ローラ４３，４５，４６の順方向の送りによって磁気データの読み取りが行われ、所定位置まで搬送された後、搬送ローラ４３，４５，４６の逆方向の送りによって画像読み取りが行われる。
【００４９】
複数の搬送ローラ４３，４５，４６は、カード搬送路４１の上面側に配置され、モータ９０（図６参照）によって駆動される第１送りローラ４３ａおよび第２送りローラ４６ａと、カード搬送路４１の下面側に配置された第１押さえローラ４３ｂ、押しつけローラ４５および第２押さえローラ４６ｂとから成り、第１送りローラ４３ａおよび第１押さえローラ４３ｂによって搬送されたクレジットカードＣは、磁気ヘッド５８に臨んだ後、スキャナヘッド４４と押しつけローラ４５の間に送られる。また、第２送りローラ４６ａおよび第２押さえローラ４６ｂは、スキャナヘッド４４の下流側に配置されている。
【００５０】
磁気ヘッド５８は、クレジットカードＣ裏面（下面）に磁気記録された磁気データ情報を読み取るためのもので、クレジットカードＣに設けられている磁気ストライプ部分に対応する位置に設けられている。なお、カード搬送路４１の上面側にも磁気ヘッド５８を配置し、複数の規格のクレジットカードＣの磁気データを読み取り可能に構成しても良い。また、詳細は後述するが、磁気ヘッド５８で読み取られた磁気データは、カード会社が運営する照会サーバ８０に送信され、与信照会が行われる。
【００５１】
スキャナヘッド４４は、押しつけローラ４５によってスキャナヘッド４４の読み取り面４４ａにカード厚に応じた押しつけ力によって押しつけられた状態で、カード搬送路４１を搬送されるクレジットカードＣの上面に光を照射し、クレジットカードＣ上で反射した光を読み取り面４４ａで受光することによって、クレジットカードＣの表面に印字された文字や画像、エンボス部分を読み取る。読み取り面４４ａ側には、図示しない複数の光電変換素子が長手方向（カード搬送方向に垂直な方向）に一列に配列されており、各光電変換素子は受光した光量に応じた電気信号を生成する。なお、詳細は後述するが、スキャナヘッド４４で読み取られた画像データは、必要に応じてＯＣＲ処理され、エンボス部分のデータに基づいてカード番号等のカード情報が抽出される。そして、磁気ヘッド５８の読み取りが正常に行われなかった場合、当該カード番号に基づいて与信紹介が行われる。
【００５２】
第１押さえローラ４３ｂ、押しつけローラ４５および第２押さえローラ４６ｂは、カード搬送路４１とレシート収容部３０との間に配置された内部カバー４２に回転可能に支持されており、当該内部カバー４２は、ヒンジ部５５を介して、上面蓋体部１３からカード搬送方向に略垂直に立設されたガイド壁５４，５４（図５参照）に回動自在に取り付けられている。ヒンジ部５５は、内部カバー４２の背面側に設けられており、上面蓋体部１３が開かれた状態で、上方に向けられた内部カバー４２の正面側が複合処理装置１０の正面側に向かって引き出されて、複合処理装置１０の正面側からカード搬送路４１の各種部材がメンテナンス可能となっている。
【００５３】
また、内部カバー４２が取り付けられたガイド壁５４，５４は、図５に示すように、カード搬送路４１内に挿入されたクレジットカードＣの挿入方向を案内するガイド部材となる。例えば、クレジットカードＣがカード搬送方向に対して少し斜めに挿入された場合は、第１送りローラ４３ａおよび第２送りローラ４６ａによって搬送されながら、ガイド壁５４，５４のいずれか一方の壁面に当接して案内されることにより、クレジットカードＣの挿入方向が曲げられ、クレジットカードＣの搬送方向がカード搬送方向に揃うようになる。これにより、クレジットカードＣは、その挿入方向が正常なカード搬送方向に対して少し角度を持っていた場合でも、ガイド壁５４，５４にガイドされ搬送方向を修正しながら搬送されていく。
【００５４】
この搬送方向の修正は、第１送りローラ４３ａおよび第２送りローラ４６ａ等によって、カード挿入口４１ａから張り出し開口４１ｂに向かって順方向に搬送されて、クレジットカードＣが完全にスキャナヘッド４４を通過するまでの間に行われる。そして、クレジットカードＣは、完全にスキャナヘッド４４を通過した後にスキャナヘッド４４の読み取り面４４ａに逆方向に搬送され、画像読み取りが行われる。これにより、スキャナヘッド４４は、常にクレジットカードＣの向きが揃った状態で、クレジットカードＣの表面画像の読み取りを行うことができる。
【００５５】
また、図５に示すように、カード搬送路４１のカード挿入口４１ａ近傍には、カード検出器４８が設けられている。このカード検出器４８は、クレジットカードＣの挿入を検出するセンサであり、カード検出器４８の出力に基づいて第１送りローラ４３ａおよび第２送りローラ４６ａが駆動開始される。すなわち、クレジットカードＣの挿入がトリガとなって、カード搬送路４１内でのカード送り動作が開始される。
【００５６】
次に、図６を参照し、複合処理装置１０の制御構成について説明する。同図に示すように、複合処理装置１０は、クレジットカードＣの挿入を検出するカード検出器４８と、カード搬送路４１近傍に配設された複数の搬送ローラ４３，４５，４６と、これら複数の搬送ローラのうち、送りローラ４３ａ，４６ａを駆動するモータ９０と、磁気ヘッド５８を有しクレジットカードＣの磁気データを読み取るクレジットカード磁気データ読取部５０と、スキャナヘッド４４を有しクレジットカードＣの表面画像を読み取るクレジットカード画像読取部４０と、小切手ＳのＭＩＣＲコードを読み取る小切手磁気データ読取部１１０と、小切手Ｓの表面および裏面の画像を読み取る小切手画像読取部１２０と、小切手Ｓの表面および裏面に精算金額や店舗情報を印字する小切手印字部１３０と、レシートＲ上に精算情報、およびスキャナヘッド４４で読み取った画像データ等を印字する（図９参照）レシート印字部１４０と、ＯＣＲ１５１を有しスキャナヘッド４４で読み取った画像データからクレジットカードＣのカード番号を抽出するカード情報抽出部１５０と、磁気ヘッド５８で読み取った磁気データ、スキャナヘッド４４で読み取った画像データ、ＯＣＲ１５１で抽出したカード番号等を記憶するメモリ１６０と、上記の各構成要素を制御する制御部１７０と、によって構成されている。
【００５７】
制御部１７０は、カード検出器４８によりクレジットカードＣの挿入を検出すると、モータ９０により搬送ローラ４３ａ，４６ａを駆動してクレジットカードＣの搬送を開始する。搬送ローラ４３ａ，４６ａの正回転によりクレジットカードＣを磁気ヘッド５８に臨む位置まで搬送すると、磁気ヘッド５８により磁気データの読み取りを行った後、クレジットカードＣが完全にスキャナヘッド４４を通過する位置まで搬送し、今度は搬送ローラ４３ａ，４６ａを逆回転させて逆送り方向にクレジットカードＣを搬送する。
【００５８】
制御部１７０は、逆送り方向への搬送によりクレジットカードＣをスキャナヘッド４４に臨ませると、今度はクレジットカードＣの表面画像の読み取りを行い、上記の工程で磁気データの読み取りが正常に行われなかったときは、ここで更に逆送り方向へ搬送し、再度磁気データの読み取りを実行する。そして、２回連続して磁気データの読み取りが正常に行われなかった場合は、ＯＣＲ１５１によりスキャナヘッド４４で読み取った画像データからカード番号の抽出を行う。そして、読み取った画像データ、磁気データ、ＯＣＲ処理結果を、一時的にメモリ１６０内に保存した後、画像データ、磁気データまたはＯＣＲ処理結果を適宜ＰＯＳ端末コンピュータ６０に送信する。また、与信照会後、ＰＯＳ端末コンピュータ６０から精算情報等が送信されると、一時的に保存した画像データ、店舗情報を印字するためのデータ、署名欄を印字するためのデータを付加し、レシート印字部１４０によってレシートＲ上に印字する（図９参照）。なお、これらのデータの付加は後述するＰＯＳ端末コンピュータ６０によって行うことも可能である。この場合は、図９に示す各情報（データ）を印字するための印字データ（印字ファイル）がＰＯＳ端末コンピュータ６０から送信され、当該印字データに基づいてレシート印字部１４０により印字が行われる。
【００５９】
一方、ＰＯＳ端末コンピュータ６０は、商品情報を入力するキーボード６２と、複合処理装置１０から送信された画像データやＯＣＲ処理結果であるカード情報等を表示する表示画面６３と、複合処理装置１０から送信された磁気データや画像データを一時的に記憶するメモリ６６と、ＰＯＳ端末コンピュータ６０全体を制御する制御部６７と、によって構成されている。
【００６０】
制御部６７は、複合処理装置１０からクレジットカード表面の画像データが送信されると、オペレータが画像読み取り結果を確認できるようにこれを表示画面６３に表示する。また、複合処理装置１０からＯＣＲ処理結果（カード情報）が送信されると、当該カード情報を上記の画像データと共に表示画面６３に表示して、オペレータがＯＣＲ処理結果と画像データとを比較できるように制御する（図１０参照）。ここで、ＯＣＲ処理結果に誤りがある場合、オペレータはキーボード６２により修正を行うことができるようになっている。
【００６１】
また、制御部６７は、複合処理装置１０で読み取った磁気データが送信された場合、これをメモリ６６内に一旦記憶し、照会サーバ８０に送信して与信照会を行う。また、複合処理装置１０で抽出したカード番号が送信された場合（磁気データの読み取りが正常に行われなかった場合）も、これをメモリ６６内に一旦記憶し、カード会社やクリアリングハウスが運営する照会サーバ８０に送信して与信照会を行う。さらに、制御部６７は、磁気データの読み取りが正常に行われたか否かに関わらず、精算処理後、メモリ６６内に一時的に格納されていた画像データをＰＯＳサーバ７０に送信する。ＰＯＳサーバ７０は、これをデータベース７１に格納し、クレジットカードＣが不正使用された場合の証拠として用いる。
【００６２】
ここで、図７および図８を参照し、複合処理装置１０およびＰＯＳ端末コンピュータ６０における制御処理について説明する。図７は複合処理装置１０の制御処理を示すフローチャート、図８はＰＯＳ端末コンピュータ６０の制御処理を示すフローチャートである。
【００６３】
図７に示すように、複合処理装置１０は、ＰＯＳ端末コンピュータ６０からクレジットカードＣの読み取り開始指示である読取コマンドを受信し（Ｓ１１：Ｙｅｓ）、カード検出器４８によりカード挿入を検出すると（Ｓ１２：Ｙｅｓ）、モータ９０を正回転させてクレジットカードＣを順方向に搬送すると共に磁気ヘッド５８によって磁気データ（ＭＳ：マグネットストライプ）を読み取る（Ｓ１３）。また、磁気データが読み取り後、クレジットカードＣは、スキャナヘッド４４を完全に通過する位置まで順方向に搬送される。
【００６４】
続いて、読み取った磁気データをデコードし（Ｓ１４）、磁気データの読み取りが正常に行われたか否かを判別する（Ｓ１５）。磁気データの読み取りが正常に行われた場合は（Ｓ１５：Ｙｅｓ）、モータ９０を逆送りし、スキャナヘッド４４でクレジットカード表面の画像読み取りを行う（Ｓ１６）。一方、磁気データの読み取りが正常に行われなかった場合は（Ｓ１５：Ｎｏ）、モータ９０を逆送りし、スキャナヘッド４４でクレジットカード表面の画像読み取りを行うと共に、画像読み取り後、再度磁気データの読み取りを行う（Ｓ１７）。そして、読み取った磁気データをデコードし（Ｓ１８）、２回目の磁気データの読み取りが正常に行われたか否かを判別する（Ｓ１９）。
【００６５】
ここで、磁気データの読み取りが正常に行われなかった場合は（Ｓ１９：Ｎｏ）、スキャナヘッド４４で読み取った画像データをＯＣＲ１５１により文字認識処理し（Ｓ２０）、カード情報（カード番号、カード有効期限、氏名などに関する情報）を抽出する。その後、読み取った画像データ、磁気データの読み取りに失敗した旨を通知するＭＳ読み取りＮＧステータスおよびＯＣＲ処理結果（カード情報）をホスト（ＰＯＳ端末コンピュータ６０）に送信する（Ｓ２１）。なお、この場合、ＯＣＲ処理結果の送信が磁気データの読み取りに失敗した旨の通知を示すものとして、ＭＳ読み取りＮＧステータスの送信を省略することも可能である。一方、２回目の磁気データの読み取りが正常に行われた場合は（Ｓ１９：Ｙｅｓ）、磁気データのデコードデータ（以下、「ＭＳデコードデータ」と称する）と、スキャナヘッド４４で読み取った画像データとをＰＯＳ端末コンピュータ６０に送信する（Ｓ２２）。
【００６６】
その後、ＰＯＳ端末コンピュータ６０からレシート印字コマンドを受信した場合は（Ｓ２３：Ｙｅｓ）、レシート印字部１４０によりレシート印字を行う（Ｓ２５）。この場合、レシートＲ上には図９に示すように、精算内容にかかわらず固定内容且つ固定配置で印字される店舗情報、クレジットカードＣの精算金額を含む精算結果を示す精算情報、スキャナヘッド４４で読み取ったクレジットカードＣの表面画像に基づく画像データ、顧客によって署名（サイン）が成される署名欄が印字される。
【００６７】
また、ＰＯＳ端末コンピュータ６０から、与信照会の結果等に基づきクレジットカードＣの使用を禁止するカード使用キャンセルコマンドを受信した場合は（Ｓ２３：Ｎｏ，Ｓ２４：Ｙｅｓ）、精算処理を中止する。
【００６８】
次に、図８を参照し、ＰＯＳ端末コンピュータ６０の制御処理について説明する。オペレータが商品情報の入力を終え、クレジットカードＣによって決済を行う旨のキー操作（若しくは商品情報の入力終了を指令する合計キーの押下など、クレジットカードＣの挿入、小切手Ｓの挿入またはキャッシュドロア６４の開閉操作のいずれかを待つ操作）により、クレジットカードＣの読み取りを指示する読取コマンドを送信した後（Ｓ３１）、複合処理装置１０からＭＳデコードデータおよび画像データを受信すると（Ｓ３２：Ｙｅｓ；図７Ｓ２２参照）、当該磁気データを照会サーバ８０に送信し、与信照会を行う（Ｓ３７）。
【００６９】
一方、（Ｓ３２：Ｎｏ）の場合であって、複合処理装置１０からＭＳ読み取りＮＧステータス、ＯＣＲ処理結果（カード情報）および画像データを受信した場合は（Ｓ３３；図７Ｓ２１参照）、ＯＣＲ処理結果および画像データを表示画面６３に表示する（Ｓ３４）。ここでは、図１０に示すように、表示画面６３の上段にクレジットカードＣの画像データを表示し、表示画面６３の下段にＯＣＲ処理結果であるカード情報（カード番号、カード有効期限、氏名）を表示する。このように、クレジットカード表面画像の画像データおよびカード情報を同時に表示画面６３上に表示することで、オペレータは正確にカード番号の抽出が行われたか否か（正確にＯＣＲ処理が行われたか否か）を確認することができる。したがって、誤ったカード番号に基づく与信照会を防止することができる。
【００７０】
ここで、ＯＣＲ処理結果と画像データの内容が異なっている場合は（Ｓ３５：Ｎｏ）、オペレータのキーボード６２入力により、カード情報の修正が行われ（Ｓ３６）、修正を完了した旨を指令するキー操作により与信照会を行う（Ｓ３７）。なお、ＯＣＲ処理結果と画像データの内容が同一であり、正常にＯＣＲ処理が行われている場合は（Ｓ３５：Ｙｅｓ）、オペレータによるＯＣＲ処理結果の内容ＯＫを指令するキー操作により与信照会を行う（Ｓ３７）。
【００７１】
そして、照会サーバ８０からの照会結果の送信により、カード使用が可能な場合は（Ｓ３８：Ｙｅｓ）、精算結果等を印字するためのレシート印字コマンド（精算情報や画像データ等の印字データも含む）を複合処理装置１０に送信する（Ｓ３９；図７Ｓ２３参照）と共に、画像データをＰＯＳサーバ７０に送信してデータベース７１に登録（格納）する。一方、カード使用が不可能な場合は（Ｓ３８：Ｎｏ）、その旨を示すカード使用不可メッセージを表示画面６３上に表示し（Ｓ４１）、オペレータにクレジットカードＣの使用禁止を報知すると共に、複合処理装置１０にカード使用キャンセルコマンドを送信する（Ｓ４２；図７Ｓ２４参照）。
【００７２】
以上、説明したとおり、本発明のクレジットカード処理装置、ＰＯＳ端末、ＰＯＳシステム、プログラムおよびクレジットカード処理制御方法によれば、磁気ヘッド５８による磁気データの読み取りが正常に行われなかった場合、クレジットカードＣの表面画像の読み取り結果をＯＣＲ処理することによってカード番号を抽出するため、迅速且つ確実にカード情報を取得することができる。また、オペレータがカード番号を手入力する必要がないため、入力ミスがなくなると共にインプリンタの操作も必要なくなるため、業務負荷を低減することができ、ひいては作業効率および顧客満足度を向上させることができる。また、磁気データの読み取りが正常に行われたか否かを判別し、読み取りが正常に行われた場合は従来の磁気データに基づく与信照会が実行可能であるため、全てのクレジットカードＣについてＯＣＲ処理を必要としない。したがって、より迅速にクレジットカードの精算処理を行うことができる。さらに、クレジットカードＣの表面の画像を読み取り、その画像データを記憶することで、不正使用発覚時にこれを証拠として用いることができる。
【００７３】
また、クレジットカードＣの表面画像の画像データや精算情報等をレシート印字部１４０によってレシートＲに印字し、これを、インプリンタを使用する場合の複写紙に代えることができるため、複写紙を保管するための管理費、並びに紙コストを削減することができる。
【００７４】
また、レシートＲ上に、クレジットカードの精算金額の他、画像データや署名欄を印字することで、署名後のレシート紙から、クレジットカードの表面画像、精算金額、および利用者の署名（サイン）を一目で確認することができる。したがって、カード会社等でこのレシート紙を保管しておくことで、不正使用が行われた場合の有力な証拠として用いることができる。さらに、この場合、レシートＲ上にＯＣＲ処理結果ではなく、加工されていない画像データそのものを印字するため、さらに信頼性を向上させることができる。
【００７５】
また、磁気データの読み取りが正常に行われなかった場合でも、再度磁気データの読み取りを行うため、作業効率を向上させることができる。つまり、磁気データの読み取りは、一度失敗しても二度目で正常に読み取ることができる場合があるが、一度失敗したらすぐにＯＣＲ処理によってカード番号を抽出するのではなく、２回連続して失敗した場合にＯＣＲ処理に移行することで、ＯＣＲ処理を行う機会を極力減らすことができるため、結果的に精算処理時間を短縮することができる。
【００７６】
なお、上記の例では、磁気データの読み取りが２回連続して正常に行われなかった場合、複合処理装置１０において画像データをＯＣＲ処理し、カード情報（カード番号）を抽出するものとしたが、ＰＯＳ端末コンピュータ６０側でＯＣＲ処理を行うようにしても良い。すなわち、この場合は、複合処理装置１０において２回目の磁気データの読み取りに失敗した後（図７Ｓ１９：Ｎｏ）、画像データのＯＣＲ処理（Ｓ２０）を行わず、画像データと、ＭＳ読み取りＮＧステータスをＰＯＳ端末コンピュータ６０に送信する。ＰＯＳ端末コンピュータ６０は、（図８Ｓ３３）に相当する工程で、この画像データおよびＭＳ読み取りＮＧステータスを受信すると、画像データに基づいてＯＣＲ処理を行い、その後ＯＣＲ処理結果を表示画面６３に表示する。このように、ＰＯＳ端末コンピュータ６０側でＯＣＲ処理を行うことにより、複合処理装置１０からＯＣＲ処理結果を送信する必要がないため、送信するデータ量を減らすことができる。また、ＰＯＳ端末コンピュータ６０の高性能ＣＰＵにより、迅速にＯＣＲ処理制御を行うことができる。
【００７７】
また、上記の例では、磁気データの読み取りが正常に行われたか否かに関わらず、画像データをレシートＲ上に印字するものとしたが、磁気データの読み取りが正常に行われた場合にはこの画像データの印字を省略しても良い（磁気データは、ＯＣＲ処理結果に比べると信頼性が高いため、画像データの印字まで必要としないことも考えられる）。
【００７８】
また、上記の例に示した、複合処理装置１０またはＰＯＳ端末コンピュータ６０における各機能（各手段）をプログラムとして提供することも可能である。また、そのプログラムを記憶媒体（図示省略）に格納し、パーソナルコンピュータ等にインストールすることで、本実施形態に示すＰＯＳシステム１以外でも、本発明のクレジットカード処理制御方法を実現可能である。記録媒体としては、ＣＤ−ＲＯＭ、フラッシュＲＯＭ、メモリカード（コンパクトフラッシュ（登録商標）、スマートメディア、メモリースティック等）、コンパクトディスク、光磁気ディスク、デジタルバーサタイルディスクおよびフレキシブルディスク等を利用することができる。
【００７９】
また、上記の複合処理装置１０の各機能をＰＯＳ端末コンピュータ６０に組み込み、１台の装置として構成しても良い。また、複合処理装置１０から小切手処理機能およびレシート印字機能を省略し、クレジットカード処理装置として独立させることも可能である。
【００８０】
また、上述した実施例によらず、例えばシステム構成や装置構成等について、本発明の要旨を逸脱しない範囲で、適宜変更も可能である。
【００８１】
例えば、図７のステップＳ１９において、磁気ストライプの読み取りが不可能であった場合（Ｓ１９  Ｎｏ），Ｓ２０のＯＣＲ処理に代え、図９のように、画像データを署名欄とともにレシートに印刷出力し、顧客に署名欄にサインさせ、お店がそのサインされたレシートを保存することによって、証憑として残しておくこともできる。
【００８２】
また、カードも、磁気ストライプを有するものであれば、クレジットカードに限らないことはもちろんである。
【図面の簡単な説明】
【００８３】
【図１】本発明の実施形態に係るＰＯＳシステムの構成図である。
【図２】本発明の実施形態に係るクレジットカード処理装置の機能を含む複合処理装置の外観斜視図である。
【図３】本発明の実施形態に係る複合処理装置の部分断面図である。
【図４】本発明の実施形態に係る複合処理装置の上面蓋体部の斜視図である。
【図５】本発明の実施形態に係る複合処理装置のカード搬送路上面側を示す断面図である。
【図６】本発明の実施形態に係るＰＯＳ端末の制御ブロック図である。
【図７】本発明の複合処理装置の制御方法を示すフローチャートである。
【図８】本発明のＰＯＳ端末コンピュータの制御方法を示すフローチャートである。
【図９】本発明の実施形態に係るレシート印字例を示す図である。
【図１０】本発明の実施形態に係る表示画面の表示例を示す図である。
【符号の説明】
【００８４】
１        ＰＯＳシステム
５        ＰＯＳ端末
１０        複合処理装置
４０        クレジットカード画像読取部
４４        スキャナヘッド
５０        クレジットカード磁気データ読取部
５８        磁気ヘッド
６０        ＰＯＳ端末コンピュータ
６３        表示画面
７０        ＰＯＳサーバ
７１        データベース
７５        ネットワーク
８０        照会サーバ
９０        決済処理サーバ
１４０        レシート印字部
１５０        カード情報抽出部
１５１        ＯＣＲ
１６０        メモリ
Ｃ        クレジットカード
Ｒ        レシート
Ｓ        小切手
【図１】
0004665461.tif 000002
【図２】
0004665461.tif 000003
【図３】
0004665461.tif 000004
【図４】
0004665461.tif 000005
【図５】
0004665461.tif 000006
【図６】
0004665461.tif 000007
【図７】
0004665461.tif 000008
【図８】
0004665461.tif 000009
【図９】
0004665461.tif 000010
【図１０】
0004665461.tif 000011